(57)【要約】
【課題】　ピンチ同士や、ピンチの物干し本体との絡まりを防止するピンチ吊持装置を提供する。
【解決手段】　物干し本体２から垂れ下がる吊持部材３の下端に二又部４を設け、該二又部４を、ピンチ１上半部を構成する一対の摘み部３１、３１先端に各々掛止して、二又部４でピンチ１における一対の摘み部３１、３１端間への進入路Ｌを閉路して、ピンチ１、１同士が絡み合ったり、ピンチ１と隣設する物干し本体の構成杆との絡みつきを防止して、絡みつきを解除する作業を一切不要にする。
【選択図】　図１
0003099029.tif 000002
【実用新案登録請求の範囲】
【請求項１】
　物干し本体から垂れ下がる吊持部材の下端に二又部を設け、該二又部を、ピンチ上半部を構成する一対の摘み部先端に各々掛止していることを特徴とするピンチ吊持装置。
【請求項２】
　隣設する端部同士を水平方向回転可能に連結する複数本の長尺体で構成する物干し本体の所望の長尺体に引っ掛けフックを備えると共に、各長尺体に間隔をおいて吊持部材で垂れ下げ、該吊持部材の下端に二又部を設け、該二又部を、ピンチ上半部を構成する一対の摘み部先端に各々掛止していることを特徴とするピンチ吊持装置。
【考案の詳細な説明】
【技術分野】
【０００１】
　本考案は、ピンチの物干し本体への吊持装置、更に詳しくはピンチ同士の絡まりやピンチと物干し本体との絡まりを防止するピンチの物干し本体への吊持装置に関するものである。
【背景技術】
【０００２】
　従来、ピンチの吊持装置としては、物干し本体から垂れ下がる吊持部材の下端を、ピンチ上半部を構成する一対の摘み部の片方に掛止するのが主流であった（例えば、特許文献１参照）。
【０００３】
　ところで、前記の従来の吊持装置では、図４に示すようにピンチ１上半部を構成する一対の摘み部３１、３１端間が開放されている。
　そのため、風等の影響で物干し本体２やピンチ１が大きく揺れて、一対の摘み部３１、３１の開放部から物干し本体２の構成杆１２が入り込んで、ピンチ１と物干し本体２とが絡まったり、隣りのピンチ１の摘み部３１、３１同士が相互に同開放部から入り込み絡まりあったり、更には隣りの物干し本体２に吊持されるピンチ１、１同士が同様に絡まりあったりする等の問題を引き起こす。
　このようにピンチ１、１同士や、ピンチ１と物干し本体２が絡まると、その絡まりを解除する作業が非常に大変で、時には作業間違いで吊持部材を切断してしまう虞れもあった。
　また、大きな面積を占有する布製のシーツや毛布等は、物干し竿や物干し綱等に２つ折りにして掛けたり、ピンチで吊り上げられる。
　しかしながら、広い物干しスペースを占有し、物干し場である、例えばベランダ等の物干しスペースが狭い場合には、干すことができない。しかも、その物干しスペースにクーラー等の室外機や植木鉢等の障害物がある場合にも干すことができず、少ない占有スペースでシーツや毛布等を干すことも切望されている。
【特許文献１】実開平６−６６５９２号公報（第１３頁、図１）
【考案の開示】
【考案が解決しようとする課題】
【０００４】
　本考案は上記従来事情に鑑みてなされたもので、その技術的課題は、ピンチ同士や、ピンチの物干し本体との絡まりを防止することである。
　他の技術的課題は、シーツや毛布等を場所を取らずに干すことが可能で、しかも不必要時にはコンパクトに折り畳むことである。
【課題を解決するための手段】
【０００５】
　上記課題を解決するために講じた技術的手段は、物干し本体から垂れ下がる吊持部材の下端に二又部を設け、該二又部を、ピンチ上半部を構成する一対の摘み部先端に各々掛止していることを特徴とするピンチの吊持構造である（請求項１）。
　この手段を採用することによって、二又部が、ピンチにおける一対の摘み部端間への進入路を閉路する。
【０００６】
　また、隣設する端部同士を水平方向回転可能に連結する複数本の長尺体で構成する物干し本体の所望の長尺体に引っ掛けフックを備えると共に、各長尺体に間隔をおいて吊持部材で垂れ下げ、該吊持部材の下端に二又部を設け、該二又部を、ピンチ上半部を構成する一対の摘み部先端に各々掛止する構成を採用しても良いものである（請求項２）。
　この手段を採用することによって、二又部が、ピンチにおける一対の摘み部端間への進入路を閉路する。
　そして、物干し竿や物干し綱等の引っ掛けフックを引っ掛けて物干し本体は吊り下げる。長尺体を水平方向に回動させて長尺体相互の挟角を小さく設定した状態で２つ折りしたシーツや物干しをピンチで吊ることによって、物干しスペースを占有することなくシーツや毛布等の大きな面積を占有する洗濯物を干すことができる。また、物干しスペースに余裕がある場合には、引っ掛けフックを物干し竿や物干し綱等に沿って移動させて、シーツや毛布を広げて干すこともできる。
【考案の効果】
【０００７】
　本考案は以上のように、物干し本体から垂れ下がる吊持部材の下端に二又部を設け、該二又部を、ピンチ上半部を構成する一対の摘み部に各々掛止して、二又部がピンチにおける一対の摘み部端間への進入路を閉路するようにしているので、風等の影響で大きく揺れて、ピンチ同士が干渉しあったり、ピンチが物干し本体の構成杆に干渉することがあっても、ピンチが物干し本体の構成杆に絡みついたり、ピンチ同士が絡みつくことがない。
　従って、物干し作業の前作業として、絡みつきを解く作業が全く不要となり、物干しに際して作業性の大幅な向上が図れ、作業間違いで吊持部材を切断してしまう虞れが全くなくなる。
　しかも、物干し本体が、隣設する端部同士を水平方向回転可能に連結する複数本の長尺体から構成されていると、長尺体相互で形成される挟角を任意な小角になるようにジグザグ状に折り畳んだコンパクトな状態から長尺体が直線状に伸長する棒状体まで可変可能であるので、場所を取らずに大きな面積を占有するシーツや毛布等を干すができるし、そのシーツや毛布等の乾きを早くするために従来と同様に広く延して干すこともできる。
　そのため、物干し場所の広狭や障害物の有無等の諸条件に応じてシーツや毛布等が干せる便利なピンチ吊持装置を提供する。
【考案を実施するための最良の形態】
【０００８】
　物干し本体は、平面視矩形枠状、平面視円枠状等任意であり、隣設する端部同士を水平方向回転可能に連結する複数本の長尺体で構成されたものでも良い。
　その物干し本体に吊持される吊持部材は、その下端にピンチ上半部を構成する一対の摘み部に個別に掛止する二又部を備え、その二又部が一対の摘み部先端間への進入路を閉路して、隣設するピンチの摘み部や構成杆の進入を防止する。
【実施例１】
【０００９】
　図１は、本考案ピンチ吊持装置の第１の実施の形態を示している。
符号１はピンチ、２は物干し本体である。
【００１０】
　ピンチ１は、本実施の形態では、１本のステンレス製の線材で成形したものを図示している。
　このピンチ１は、線材を巻いてコイル状に形成されたコイルバネ部１１の両端の線材を下方に略Ｕ字形に折曲して一対の挟持部２１、２１を形成し、その挟持部２１先端をコイルバネ部１１の上方まで延設し、そこで長孔形状や輪形状に折り曲げて一対の摘み部３１、３１を形成して、一対の摘み部３１、３１をコイルバネ部１１の弾撥力に抗して摘むことによって、一対の挟持部２１、２１による挟持が解除されるようになっている。
【００１１】
　各ピンチ１は、物干し本体２の構成杆１２に上端を掛止する吊持部材３で吊持されている。
【００１２】
　この吊持部材３は、ステンレス製であり、本実施の形態では１個の上位リング１３と、その上位リング１３の下端に上端を掛止して吊り下げられる２個の下位リング２３、２３とで構成されており、その下位リング２３、２３をピンチ１の前記一対の摘み部３１、３１先端に開孔した掛止孔１３１に各々掛止して、その下位リング２３、２３で一対の摘み部３１、３１先端間への進入路Ｌを閉路する二又部４を構成するようになっている。
【００１３】
　従って、例えば風等の影響で各ピンチ１が大きく揺れて、隣設するピンチ１同士や物干し本体２の構成杆１２にぶつかっても、二又部４が隣設するピンチ１の摘み部３１、３１や構成杆１２の進入を防止してピンチ１同士やピンチ１と物干し本体２の構成杆１２との絡み合いを防止する。
【実施例２】
【００１４】
　次に図２及び図３に示す第２の実施の形態について説明すると、この実施の形態は、隣設する端部同士を水平方向回転可能に連結する複数本の長尺体２２で構成された物干し本体２の各長尺体２２に間隔をおいてピンチ１を吊持部材３で吊持している。
【００１５】
　この物干し本体２は、その各長尺体２２の長さを１００ｃｍ〜２００ｃｍとし、直線状の１本の棒状体に伸長する形態と、長尺体２２相互間の挟角が可変するジグザグ状に折り畳まれる形態まで変化するようになっている。
　従って、この物干し本体２は、不使用時に隣設する長尺体２２が接近するコンパクトな状態まで場所を取らないように折り畳むことができる。
【００１６】
　また、各長尺体２２または所望の長尺体２２は、鎖部材３２を介して引っ掛けフック４２で物干し竿や物干し紐等の引っ掛け可能になっている。
【００１７】
　各長尺体２２は、下面を開放した縦断面下向きコ字状を呈しなり、上面を貫通するトラスリベット４２にプッシュナット５２を係止することによってピンチ支持部６２を内部に収容状に取付け、該ピンチ支持部６２の両端から下向きに折曲したアーム部６２１先端に吊持部材３を介してピンチ１を吊持している。
　前記ピンチ吊持部６２は、各長尺体２２において複数取り付けられている。
【００１８】
　吊持部材３は、先端に二又部４を有する前記第１の実施の形態と同様な構成であり、ピンチ上半部の一対の摘み部３１、３１先端にその二又部４を掛止して、一対の摘み部３１、３１先端間への前記進入路Ｌをその二又部４が閉路するようになっている。
【００１９】
　以上のように構成されている第２の実施の形態のピンチ吊持装置にあっては、物干し竿Ａや物干し綱等に引っ掛けフック４２で引っ掛けて、長尺体２２相互で形成される挟角を任意な小角になるようにジグザグ状に折り畳んだコンパクトな状態で、大きな面積の布製シーツや毛布等を二枚折りにして各長尺体２２のピンチ１で挟持させて吊り下げて、小さな占有スペースで干せるようにしたり、その状態から各引っ掛けフック４２を物干し竿Ａや物干し綱等上を移動させて物干し本体２を直線状の１本の棒状体にして布製のシーツや毛布等を広げた乾き易い状態で乾かすことができる（図２の二点鎖線）。
　従って、狭い間口を利用して布製のシーツや毛布等を干すこともできるし、乾き易くなるようにそのシーツや毛布等を延して干すこともできるし、取り込む作業も楽である。
【図面の簡単な説明】
【００２０】
【図１】本発明ピンチ吊持装置の第１の実施の形態の斜視図。
【図２】同第２の実施の形態の斜視図。
【図３】（３）−（３）線断面図。
【図４】従来のピンチ吊持装置の正面図。
【符号の説明】
【００２１】
　　２：物干し本体　　　　　　　　　　　　　　３：吊持部材
　　４：二又部　　　　　　　　　　　　３１、３１：摘み部
　２２：長尺体　　　　　　　　　　　　　　　　１：ピンチ
【図１】
0003099029.tif 000003
【図２】
0003099029.tif 000004
【図３】
0003099029.tif 000005
【図４】
0003099029.tif 000006
【手続補正書】
【提出日】平成15年8月4日(2003.8.4)
【手続補正１】
【補正対象書類名】実用新案登録請求の範囲
【補正対象項目名】請求項２
【補正方法】変更
【補正の内容】
【請求項２】
　隣設する端部同士を水平方向回転可能に連結する複数本の長尺体で構成する物干し本体の所望の長尺体に引っ掛けフックを備えると共に、各長尺体に間隔をおいて吊持部材を垂れ下げ、該吊持部材の下端に二又部を設け、該二又部を、ピンチ上半部を構成する一対の摘み部先端に各々掛止していることを特徴とするピンチ吊持装置。
【手続補正２】
【補正対象書類名】明細書
【補正対象項目名】０００６
【補正方法】変更
【補正の内容】
【０００６】
　また、隣設する端部同士を水平方向回転可能に連結する複数本の長尺体で構成する物干し本体の所望の長尺体に引っ掛けフックを備えると共に、各長尺体に間隔をおいて吊持部材を垂れ下げ、該吊持部材の下端に二又部を設け、該二又部を、ピンチ上半部を構成する一対の摘み部先端に各々掛止する構成を採用しても良いものである（請求項２）。
　この手段を採用することによって、二又部が、ピンチにおける一対の摘み部端間への進入路を閉路する。
　そして、物干し竿や物干し綱等に引っ掛けフックを引っ掛けて物干し本体は吊り下げる。長尺体を水平方向に回動させて長尺体相互の挟角を小さく設定した状態で２つ折りしたシーツや毛布をピンチで吊ることによって、物干しスペースを占有することなくシーツや毛布等の大きな面積を占有する洗濯物を干すことができる。また、物干しスペースに余裕がある場合には、引っ掛けフックを物干し竿や物干し綱等に沿って移動させて、シーツや毛布を広げて干すこともできる。
【手続補正３】
【補正対象書類名】明細書
【補正対象項目名】０００７
【補正方法】変更
【補正の内容】
【０００７】
　本考案は以上のように、物干し本体から垂れ下がる吊持部材の下端に二又部を設け、該二又部を、ピンチ上半部を構成する一対の摘み部に各々掛止して、二又部がピンチにおける一対の摘み部端間への進入路を閉路するようにしているので、風等の影響で大きく揺れて、ピンチ同士が干渉しあったり、ピンチが物干し本体の構成杆に干渉することがあっても、ピンチが物干し本体の構成杆に絡みついたり、ピンチ同士が絡みつくことがない。
　従って、物干し作業の前作業として、絡みつきを解く作業が全く不要となり、物干しに際して作業性の大幅な向上が図れ、作業間違いで吊持部材を切断してしまう虞れが全くなくなる。
　しかも、物干し本体が、隣設する端部同士を水平方向回転可能に連結する複数本の長尺体から構成されていると、長尺体相互で形成される挟角を任意な小角になるようにジグザグ状に折り畳んだコンパクトな状態から長尺体が直線状に伸長する棒状体まで可変可能であるので、場所を取らずに大きな面積を占有するシーツや毛布等を干すことができるし、そのシーツや毛布等の乾きを早くするために従来と同様に広く延して干すこともできる。
　そのため、物干し場所の広狭や障害物の有無等の諸条件に応じてシーツや毛布等が干せる便利なピンチ吊持装置を提供する。
【手続補正４】
【補正対象書類名】明細書
【補正対象項目名】００１６
【補正方法】変更
【補正の内容】
【００１６】
　また、各長尺体２２または所望の長尺体２２は、鎖部材３２を介して引っ掛けフック４２で物干し竿や物干し綱等に引っ掛け可能になっている。